(57)【特許請求の範囲】
【請求項１】
既設ドア枠と既設プレスドア間を後付的に気密に封止した、これら既設ドア枠と既設プレスドアとを備えた既設鋼製ドアの後付気密装置であって、上記既設プレスドアにおける室内側見付面の外周端部近傍に囲繞状に後付設置した縦横各一対の帯材と、該縦横各一対の帯材にそれぞれ上記室内側見付面の外周端部側に向けて張出し状に突出配置した気密材を備えるとともに上記縦横各一対の帯材の後付設置を室内側見付面の内外方向位置調整自在に行うことによって上記気密材の突出方向先端を上記既設ドア枠における戸当面と既設プレスドアの室内側見付面間に配置してなることを特徴とする既設鋼製ドアの後付気密装置。
【請求項２】
上記縦横各一対の帯材の後付設置を、上記室内側見付面に対する帯材長手方向複数個所のネジ止めによって行うとともに該ネジ止めを、帯材に透設した幅方向の各長孔を介して行うことによって上記室内側見付面の内外方向位置調整を自在としてなることを特徴とする請求項１に記載の既設鋼製ドアの後付気密装置。
【請求項３】
上記縦横各一対の帯材を、ネジ止め用の基板と、該基板の幅方向片側一方に配置した裏面開口の単一又は複数の気密材受条を有するアルミ又は合成樹脂の押出材によって形成し且つ上記気密材を上記気密材受条に嵌合した単一又は複数の嵌合突条と、該嵌合突条から既設プレスドアの室内側見付面に沿うように延設した中空又はフィン状の気密条を有する合成ゴム押出材によって形成してなることを特徴とする請求項１又は２に記載の既設鋼製ドアの後付気密装置。
【請求項４】
上記縦横各一対の帯材を、ネジ止め用の基板と、該基板の幅方向片側一方に配置した裏面開口の単一又は複数の気密材受条と、上記基板の幅方向片側他方に配置した既設プレスドアの室内側見付面の一部乃至全部を覆うパネルの端部受入溝条又は該パネルの端部被覆突条を有するアルミ又は合成樹脂の押出材によって形成し且つ上記気密材を上記気密材受条に嵌合した単一又は複数の嵌合突条と、該嵌合突条から既設プレスドアの室内側見付面に沿うように延設した中空又はフィン状の気密条を有する合成ゴム押出材によって形成してなることを特徴とする請求項１又は２に記載の既設鋼製ドアの後付気密装置。
【請求項５】
上記縦横各一対の帯材におけるネジ止め用の基板を凹溝条の底面をなすように配置し且つ該凹溝条を閉塞部材によって閉塞してなることを特徴とする請求項３又は４に記載の既設鋼製ドアの後付気密装置。
【請求項６】
上記縦横各一対の帯材及び気密材を、それぞれ同一断面形状として形成してなることを特徴とする請求項３、４又は５に記載の既設鋼製ドアの後付気密装置。
【発明の詳細な説明】
【技術分野】
【０００１】
本発明は、既設鋼製ドアにおける既設ドア枠と既設プレスドア間を後付的に気密に封止した既設鋼製ドアの後付気密装置に関する。
【背景技術】
【０００２】
昭和５０年代までの集合住宅等の建造物には、旧日本住宅公団の規格に従った鋼製ドアが用いられ、該鋼製ドアは、鋼製のドア枠と、該鋼製のドア枠に開閉自在にヒンジによって吊支持した鋼製のプレスドアを備えたものとされ、このとき既設ドア枠は、これに形成した前後方向中間位置で室外側の見付面をなし、既設プレスドアが対接する戸当面に点状の戸当ゴムを配置したものとし、既設ドアは、例えば１．６ｍｍの鋼板にプレスを施して外周に室内側に突出するようにドア框を曲げ加工したプレスドアとし、その戸当側のドア框、即ち縦框を上記ゴムクッションで受け止めて、該ドア閉鎖時の消音を可能としたものとしてある。
【０００３】
このように形成された鋼製ドアは、ドア枠とプレスドアとの間が封止されないため、気密性が極めて低いという問題点があり、このため、例えば、下記特許文献１の如きドア改装が提案されており、これによれば、既設のプレスドアを除去して残存した既設ドア枠に、新設のフラッシュドアをヒンジによって吊支持し、その室外側外周に設置した気密材を既設ドア枠の戸当面に対接自在として、既設ドア枠と新設のフラッシュドアとの間を気密に封止するようにしたものとされる。
【先行技術文献】
【特許文献】
【０００４】
【特許文献１】特開２００５−３０７６９６号公報
【発明の概要】
【発明が解決しようとする課題】
【０００５】
この場合、昭和５０年代まで多用された鋼製ドアの上記気密性の問題を解消することができるが、既設のプレスドアに代えて新設のフラッシュドアを用いて、既設鋼製ドアを改装するから、既設プレスドアの除去、新設のフラッシュドアの吊支持等の作業が必要であり、新設のフラッシュドアのコストを加えると、比較的高価格のものとなる傾向を招き易い。また、例えば、集合住宅の区分所有の場合は共用スペースの改装として扱われるために、その改装は管理組合が一括して行う場合以外に、個々の居住者が単独で改装を行うことはできないが、修繕費の用途は、防水、塗装、排水管清掃を始めとして多種多様のものに亘るから、各戸毎の改装となるこの種ドア改装が後回しとされることも多く、従って、この種の鋼製ドアが付された建造物にあって、既設鋼製ドアに気密性の問題が残されていても、現実には放置されて不便を強いられることも多い。
【０００６】
本発明はかかる事情に鑑みてなされたもので、その解決課題とするところは、既設鋼製ドアを可及的にそのまま現状維持した状態で、簡易な現場作業により既設鋼製ドアの気密性を有効且つ確実にして可及的安価に確保し得るようにした既設鋼製ドアの後付気密装置を提供するにある。
【課題を解決するための手段】
【０００７】
上記課題に沿って本発明は、既設プレスドアの室内側見付面の外周端部近傍に縦横各一対の帯材を囲繞状に後付設置し、該帯材から外周端部方向に気密材を突出配置して、該気密材の封止によって気密性を確保するとともに上記帯材の後付設置を、既設プレスドアの室内側見付面の面内における内外方向に位置調整を自在として、該位置調整に伴って帯材に配置した気密材の突出方向先端の位置を調整し、該先端を、既設ドア枠における戸当面と既設プレスドアの室内側見付面との間に介設するように配置して、上記既設ドア枠と既設プレスドアの高度な気密性を備えたものとするともに既設プレスドアの開閉に際して気密材がこれらの一方に接触してその摩擦抵抗によって該開閉を重くしたり、気密材の耐久性を損なったりすることなく、可及的安価な工事で良好な外観を確保しつつ、従前の気密性を備えない既設鋼製ドアと同程度に軽量な開閉を長期に亘って安定してなし得るようにしたものであって、即ち、請求項１に記載の発明を、既設ドア枠と既設プレスドア間を後付的に気密に封止した、これら既設ドア枠と既設プレスドアとを備えた既設鋼製ドアの後付気密装置であって、上記既設プレスドアにおける室内側見付面の外周端部近傍に囲繞状に後付設置した縦横各一対の帯材と、該縦横各一対の帯材にそれぞれ上記室内側見付面の外周端部側に向けて張出し状に突出配置した気密材を備えるとともに上記縦横各一対の帯材の後付設置を室内側見付面の内外方向位置調整自在に行うことによって上記気密材の突出方向先端を上記既設ドア枠における戸当面と既設プレスドアの室内側見付面間に配置してなることを特徴とする既設鋼製ドアの後付気密装置としたものである。
【０００８】
請求項２に記載の発明は、上記に加えて、上記帯材の後付設置を、既設プレスドアの室内側見付面に対するネジ止めによって可及的簡易に行うとともに該帯材の上記位置調整を簡易且つ確実になし得るようにして、上記気密材の突出方向先端の位置出しとこれによる気密性の確保を確実になし得るものとするように、これを、上記縦横各一対の帯材の後付設置を、上記室内側見付面に対する帯材長手方向複数個所のネジ止めによって行うとともに該ネジ止めを、帯材に透設した幅方向の各長孔を介して行うことによって上記室内側見付面の内外方向位置調整を自在としてなることを特徴とする請求項１に記載の既設鋼製ドアの後付気密装置としたものである。
【０００９】
請求項３に記載の発明は、同じく上記に加えて、上記帯材を可及的に良好な外観のものとするとともに気密材を安定且つ確実に保持する一方、気密材を同じく良好な外観のものとするとともに気密性を高度に確保するものとするように、これを、上記縦横各一対の帯材を、ネジ止め用の基板と、該基板の幅方向片側一方に配置した裏面開口の単一又は複数の気密材受条を有するアルミ又は合成樹脂の押出材によって形成し且つ上記気密材を上記気密材受条に嵌合した単一又は複数の嵌合突条と、該嵌合突条から既設プレスドアの室内側見付面に沿うように延設した中空又はフィン状の気密条を有する合成ゴム押出材によって形成してなることを特徴とする請求項１又は２に記載の既設鋼製ドアの後付気密装置としたものである。
【００１０】
請求項４に記載の発明は、同じく上記に加えて、同様に上記帯材を可及的に良好な外観のものとするとともに気密材を安定且つ確実に保持する一方、気密材を同じく良好な外観のものとしてその気密性を高度に確保した上、例えば、囲繞状に後付設置した帯材の内側に室内側見付面の一部を囲繞状とするように帯状に被覆したり、ボックス状の郵便受を除いて室内側見付面の全部を内装するように面状に被覆したりする如くに、囲繞帯材の内側の面内にパネルを装着することが可能であるところ、このような現場において該パネルの端部が露出して外観を損なったりすることなく、帯材との外観よく良好な納まりを確保したパネル装着を追加的になし得るものとするように、これを、上記縦横各一対の帯材を、ネジ止め用の基板と、該基板の幅方向片側一方に配置した裏面開口の単一又は複数の気密材受条と、上記基板の幅方向片側他方に配置した既設プレスドアの室内側見付面の一部乃至全部を覆うパネルの端部受入溝条又は該パネルの端部被覆突条を有するアルミ又は合成樹脂の押出材によって形成し且つ上記気密材を上記気密材受条に嵌合した単一又は複数の嵌合突条と、該嵌合突条から既設プレスドアの室内側見付面に沿うように延設した中空又はフィン状の気密条を有する合成ゴム押出材によって形成してなることを特徴とする請求項１又は２に記載の既設鋼製ドアの後付気密装置としたものである。
【００１１】
請求項５に記載の発明は、同じく上記に加えて、上記帯材をネジ止めするに際して、ネジが露出するのを防止して、更に良好な外観を確保したものとするように、これを、上記縦横各一対の帯材におけるネジ止め用の基板を凹溝条の底面をなすように配置し且つ該凹溝条を閉塞部材によって閉塞してなることを特徴とする請求項３又は４に記載の既設鋼製ドアの後付気密装置としたものである。
【００１２】
請求項６に記載の発明は、同じく上記に加えて、帯材及び気密材を各単一の断面形状のものに共通化することによって、部材数を可及的に減少しながら、低コストにして確実に既設鋼製ドアの気密性確保をなし得るものとするように、これを、上記縦横各一対の帯材及び気密材を、それぞれ同一断面形状として形成してなることを特徴とする請求項３、４又は５に記載の既設鋼製ドアの後付気密装置としたものである。
【００１３】
本発明はこれらをそれぞれ発明の要旨として、上記課題解決の手段としたものである。
【発明の効果】
【００１４】
本発明は以上のとおりに構成したから、請求項１に記載の発明は、既設プレスドアの室内側見付面の外周端部近傍に縦横各一対の帯材を囲繞状に後付設置し、該帯材から外周端部方向に気密材を突出配置して、該気密材の封止によって気密性を確保するとともに上記帯材の後付設置を、既設プレスドアの室内側見付面の面内における内外方向に位置調整を自在として、該位置調整に伴って帯材に配置した気密材の突出方向先端の位置を調整し、該先端を、既設ドア枠における戸当面と既設プレスドアの室内側見付面との間に介設するように配置して、上記既設ドア枠と既設プレスドアの高度な密封性を備えたものとするともに既設プレスドアの開閉に際して気密材がこれらの一方に接触してその摩擦抵抗によって該開閉を重くしたり、気密材の耐久性を損なったりすることなく、可及的安価な工事で良好な外観を確保しつつ、従前の気密性を備えない既設鋼製ドアと同程度に軽量な開閉を長期に亘って安定してなし得るようにすることによって、既設鋼製ドアを可及的にそのまま現状維持した状態で、簡易な現場作業により既設鋼製ドアの気密性を有効且つ確実にして可及的安価に確保し得るようにした既設鋼製ドアの後付気密装置を提供することができる。
【００１５】
請求項２に記載の発明は、上記に加えて、上記帯材の後付設置を、既設プレスドアの室内側見付面に対するネジ止めによって可及的簡易に行うとともに該帯材の上記位置調整を簡易且つ確実になし得るようにして、上記気密材の突出方向先端の位置出しとこれによる気密性の確保を確実になし得るものとすることができる。
【００１６】
請求項３に記載の発明は、同じく上記に加えて、上記帯材を可及的に良好な外観のものとするとともに気密材を安定且つ確実に保持する一方、気密材を同じく良好な外観のものとするとともに気密性を高度に確保するものとすることができる。
【００１７】
請求項４に記載の発明は、同じく上記に加えて、同様に上記帯材を可及的に良好な外観のものとするとともに気密材を安定且つ確実に保持する一方、気密材を同じく良好な外観のものとしてその気密性を高度に確保した上、例えば、囲繞状に後付設置した帯材の内側に室内側見付面の一部を囲繞状とするように帯状に被覆したり、ボックス状の郵便受を除いて室内側見付面の全部を内装するように面状に被覆したりする如くに、囲繞帯材の内側の面内にパネルを装着するに際して、該パネルの端部が露出して外観を損なったりすることなく、帯材との外観よく良好な納まりを確保したパネル装着を追加的になし得るものとすることができる。
【００１８】
請求項５に記載の発明は、同じく上記に加えて、上記帯材をネジ止めするに際して、ネジが露出するのを防止して、更に良好な外観を確保したものとすることができる。
【００１９】
請求項６に記載の発明は、同じく上記に加えて、帯材及び気密材を各単一の断面形状のものに共通化することによって、部材数を可及的に減少しながら、低コストにして確実に既設鋼製ドアの気密性確保をなし得るものとすることができる。
【図面の簡単な説明】
【００２０】
【図１】既設鋼製ドアの正面図である。
【図２】既設鋼製ドアの縦断面図である。
【図３】既設鋼製ドアの横断面図である。
【図４】図２の部分拡大図である。
【図５】他の例に係る既設鋼製ドアの縦断面図である。
【図６】図５の既設鋼製ドアの横断面図である。
【図７】図５の部分拡大図である。
【図８】他の例に係る既設鋼製ドアの部分拡大横断面図である。
【図９】同じく他の例に係る既設鋼製ドアの部分拡大横断面図である。
【発明を実施するための形態】
【００２１】
以下本発明を更に具体的に説明すれば、図１乃至図４において、Ａは既設鋼製ドアであって、該既設鋼製ドアＡは、旧日本住宅公団の鋼製ドアの規格に基づいて製造され、集合住宅に用いられたものとしてあり、該既設鋼製ドアＡは、既設ドア枠１に既設プレスドア２をヒンジ１４によって開閉自在に吊支持したものとしてあるところ、該既設ドア枠１は、１．６ｍｍの鋼板をプレス加工し、室内外中間位置の戸当面１１を介して室内側見込面と室外側見込面を配置した断面Ｓ字状をなすようにして、縦長矩形のドア開口を区画したものとしてある。既設プレスドア２は、同じく１．６ｍｍの鋼板をプレス加工し、上下左右に１０ｃｍ程度の幅の室内側に框２１を突出配置するとともに面内に単一乃至上下２段の補強リブ２２を室外側に突出配置したものとする一方、上下中間位置に室外側に開口する郵便受口２３を配置し、室内側にボックス状の郵便受けを固定したものとしてある。
【００２２】
該既設鋼製ドアＡは、既設ドア枠１と既設プレスドア２間を後付的に気密に封止した後付気密装置を備えたものとしてあり、該気密装置は、上記既設プレスドア２における室内側見付面の外周端部近傍に囲繞状に後付設置した縦横各一対の帯材３と、該縦横各一対の帯材３にそれぞれ上記室内側見付面の外周端部側に向けて張出し状に突出配置した気密材４を備えるとともに上記縦横各一対の帯材３の後付設置を室内側見付面の内外方向位置調整自在に行うことによって上記気密材４の突出方向先端を上記既設ドア枠１における戸当面１１と既設プレスドア２の室内側見付面間に配置したものとしてあり、本例にあって、上記縦横各一対の帯材３の後付設置は、これを、上記室内側見付面に対する帯材長手方向複数個所のネジ５止めによって行うとともに該ネジ５止めを、帯材３に透設した幅方向の各長孔３２を介して行うことによって上記室内側見付面の内外方向位置調整を自在としたものとしてある。
【００２３】
即ち、既設鋼製ドアＡは、可及的に既存のものを現状維持した状態で、簡易な現場作業を施すことによって、既設ドア枠１の戸当面１１と既設プレスドア２の室内側見付面の間に位置するように同一面に気密材４を配置して、気密性を高度に確保したものとしてある。
【００２４】
上記縦横各一対の帯材３及び気密材４は、本例にあって、これらを、それぞれ同一断面形状として形成してあり、本例の帯材３は、これを、ネジ５止め用の基板３１と、該基板３１の幅方向片側一方に配置した裏面開口の単一又は複数の気密材受条３３を有するアルミ又は合成樹脂の押出材、本例にあってはアルミ押出材によって形成してあり、また、本例の気密材４は、これを、上記気密材受条３３に嵌合した単一又は複数の嵌合突条４１と、該嵌合突条４１から既設プレスドア２の室内側見付面に沿うように延設した中空又はフィン状、本例にあっては中空状の気密条４２を有する合成ゴム押出材によって形成したものとしてある。
【００２５】
即ち、本例の帯材３は、数ｃｍ幅、例えば３乃至４ｃｍ幅のプレート状にして、長さを既設プレスドア２の縦又は横寸法よりやや短尺とするように長手方向両端部を直交切断し、各一対の縦の帯材３及び横の帯材３間でそれぞれ同長としたものとしてあり、本例にあって該帯材３は、表面を平坦面とするとともに裏面に数条、本例にあっては４条のリブ３４を突出配置し、既設プレスドア２における室内側見付面の面内側２条のリブ３４によって上記ネジ５止め用の基板３１を表面側に浮かし状に支持し、また、その外周側２条のリブ３４によって、上記気密材受条３３を、複数、例えば２条配置したものとしてある。
【００２６】
上記ネジ５止め用の基板３１には、例えば１ｃｍ程度以下の長さ、本例にあっては７〜８ｍｍ程度の長さの長孔３２を、帯材３の幅方向、換言すれば帯材直交方向に向けて透設してあり、本例にあって該長孔３２は、帯材３の長手方向に所定間隔、例えば３０ｃｍ程度の間隔（ピッチ）で透設した長手方向所定間隔複数のものとしてあり、既設プレスドア２の室内側見付面への該基板３１のネジ５止めに際して、該長孔３２の長さ範囲において各帯材３を幅方向にそれぞれ移動可能として、その既設プレスドア２の室内側見付面における外周方向に対する後付設置の位置調整をなし得るようにしてある。
【００２７】
また、上記外周側２条のリブ３４は、上記基板３１の浮かし支持用のリブ３４の突出長さより僅かに短寸化して、これら外周側２条のリブ３４によって、既設プレスドア２の室内側見付面との間で気密材４を挟持するようにしてある。
【００２８】
従って、帯材３は、例えば１〜２ｃｍの幅を有して面内側２条のリブ３４によって表面浮かし状に配置し且つ長手方向所定間隔に幅方向に向けた長孔３２を透設したネジ５止め用の基板３１と、該基板３１の幅方向片側一方に連続するように、外周側２条のリブ３４によって裏面側に開口配置した細幅の溝条による２条の気密材受条３３を並列配置したものとしてある。
【００２９】
本例の気密材４は、その上記中空状の気密条４２、本例にあって裏面を平坦面とし上記帯材３のリブ３４に合せた表面側突出高さを有して先細り状とするように幅方向に傾斜して幅方向先端、即ち傾斜方向先端を鋭角状の三角形状をなすようにした中空の気密条４２と、該気密条４２の幅方向片側に上記平坦面と面一をなすように延設した突条設置用の延設板と、該延設板に、上記帯材３の２条の気密材受条３３に合せてこれに嵌合する細幅２条の嵌合突条４１を、中間に帯材３のリブ３４を受入可能な受溝を介して突出配置したものとしてある。
【００３０】
該気密材４は、例えば工場出荷時に、その細幅２条の嵌合突条４１を、帯材３における２条の気密材受条３３、即ち、細幅溝条に嵌合して上記帯材３の幅方向片側一方に並列して一体化したものとしてあり、このように一体化することによって気密用のバー部材としたものを現場に搬入して、既設プレスドア２を既設ドア枠１に吊支持した状態、即ち、既設鋼製ドアＡをそのままの状態として、該既設プレスドア２の室内側見付面の外周端部近傍、即ち、該既設プレスドア２における上記室内側に突出配置した各框２１の外周側位置に各帯材３を、その気密材４を外周側、即ち既設ドア枠１側に向けるように配置して、それぞれネジ５止めを行うことによって、該室内側見付面に、例えば縦横一方の小口を他方の長手方向端部に突合せるようにして、その外周端部近傍を囲繞するように、その後付設置を行うものとしてある。
【００３１】
該ネジ５止めは、帯材３の長孔３２からそれぞれネジ５を既設プレスドア２の各框２１に向けて螺入することによって行うものとしてあり、このとき、上記帯材３の長孔３２からのネジ５の仮締め状態で、各帯材３を該室内側見付面の外周側乃至面内側に移動したり、傾斜角度を付したりして、室内側見付面における帯材３の位置調整を行うことによって、該帯材３の幅方向片側一方、即ち、各框２１の外周側に配置した気密材４の位置を調整し、該気密材４の先端を、それぞれ既設ドア枠１の戸当面１１に対接する位置に配置した上、ネジ５の本締めを行うようにしてあり、これによって、帯材３を、既設プレスドア２の室内側見付面の外周側端部近傍に後付設置しながら、気密材４を既設プレスドア２と既設ドア枠１の対向面に介装するようにして、既設ドア枠１と既設プレスドア２の間を同一面で密封するように有効且つ適切に封止し、既設鋼製ドアＡの高度な気密性を確保し得るようにするとともに該帯材３の後付設置に際しては、既設プレスドア２における室内側見付面の外周端部近傍に大体の見当をつけて帯材３を宛がってネジ５止めを行って、その位置調整を行えばよいから、帯材３の後付設置に際して厳格な位置出しを行うような煩雑な作業なく、上記高度な気密性を簡易に確保することができる。
【００３２】
従って、本例の既設鋼製ドアＡの気密性確保は、既設鋼製ドアＡを可及的にそのまま現状維持した状態で、簡易な現場作業により有効且つ確実にして可及的安価に行うことができ、必要に応じて塗装、錠の交換等を施すようにすれば、集団住宅の玄関周りの居住性を大きく向上することができる。
【００３３】
図５乃至図９は、他の例に係る既設鋼製ドアＡの後付気密装置を示すもので、図５乃至図７にあって、上記縦横各一対の帯材３のネジ５止め用の基板３１を凹溝条３５の底面をなすように配置し且つ該凹溝条３５を閉塞部材３８によって閉塞した例を示し、図８及び図９は、それぞれ上記縦横各一対の帯材３を、ネジ５止め用の基板３１と、該基板３１の幅方向片側一方に配置した裏面開口の単一又は複数の気密材受条３３と、上記基板３１の幅方向片側他方に配置した既設鋼製ドアＡの室内側見付面の一部乃至全部を覆うパネル６の端部受入溝条又は該パネル６の端部被覆突条、本例にあっては該端部被覆突条３７を有するアルミ又は合成樹脂の押出材によって形成し且つ上記気密材４を上記気密材受条３３に嵌合した単一又は複数の嵌合突条４１と、該嵌合突条４１から既設プレスドア２の室内側見付面に沿うように延設した中空又はフィン状の気密条４２を有する合成ゴム押出材によって形成した例を示したものである。
【００３４】
即ち、図５乃至図７にあって、その帯材３は、基板３１を凹溝条３５の底面として既設プレスドア２の室内側見付面に面接するように凹陥した平坦面とするとともに該凹溝条３５の幅方向両側にそれぞれＬ字突条３７を配置し、その一方のＬ字突条３６の先端を既設プレスドア２の室内側見付面に対接し、他方のＬ字突条３６をこれより僅かに短寸化して既設プレスドア２の室内側見付面との間で気密材４を挟持するとともに該他方のＬ字突条３６によって単一の気密材受条３３を配置した、同じくアルミ押出材のプレート状に形成し、また、気密材４は、該単一の気密材受条３３に合せて単一の嵌合突条４１を備えた、同じく合成ゴム押出材によって形成したものとしてある。
【００３５】
このとき上記閉塞部材３８は、上記帯材３の凹溝条３５の幅と深さに合せた断面Ｃ字状の、同じくアルミ押出材によって形成したものとしてあり、該閉塞部材３８による上記凹溝条３５の閉塞は、帯材３の凹溝条３５の底面近傍にスナップイン係止一方の、例えば係止溝を配置し、閉塞部材３８の両側の脚条下端近傍にスナップイン係止他方の、例えば係止突条を配置することによって、帯材３の基板３１を既設プレスドアの室内側見付面にネジ５止めした後に、該閉塞部材３８を凹溝条３５に嵌合するように挿入し、スナップイン係止一方の係止溝とスナップイン係止他方の係止突条を係止することによるスナップイン係止によって、その固定を行うようにしてある。
【００３６】
この場合、基板３１をネジ止めしたネジ５のネジ頭が凹溝条３５の底面に接触し、該凹溝条３５の内側に位置するところ、閉塞部材３８によって該凹溝条３５を閉塞することによって、閉塞部材３８が上記Ｌ字突条３６の表面と面一となるとともにネジ頭の露出を防止するため、帯材３の固定にネジ５止めを用いながら、凹凸面やネジ頭の露出のない更に外観を良好とした既設鋼製ドアＡの後付気密装置とすることができる。
【００３７】
図８にあって、その帯材３は、上記図１乃至図４の帯材３とその基本構成を同一とするも、ネジ５止め用の基板３１を浮かし支持した最も面内側に位置するリブ３４の下向き条の全部又は一部を欠除して、ネジ５止め用の基板３１下面を開放することによって、該基板３１を帯材３のネジ５止め用とするとともにパネル６の端部を覆う端部被覆突条３７として、該端部被覆突条３７によって、例えば既設プレスドア２の室内側見付面に、框２１を覆うように配置したドア内装用のパネル６の、各框２１に重合することによって該框２１面に露出する端部を受入被覆するようにして、上記帯材３とパネル６の良好な納まりを確保するようにしてあり、また、図９にあって、その帯材３は、上記図５乃至７と、同じくその基本構成を同一とするも、基板３１を底面とする凹溝条３５に配置して既設プレスドア２の室内側見付面に対接する面内側に位置するＬ字突条３６を、基板３１よりやや狭い同程度の幅広とするとともにその下向き条の全部又は一部を欠除して、該Ｌ字突条３６の下面を開放することによって、該Ｌ字突条３６をパネル６の端部を覆う端部被覆突条３７として、該端部被覆突条３７によって、同様にドア内装用のパネル６の、各框２１に重合して露出する端部を受入被覆するようにして、同じく帯材３とパネル６の良好な納まりを確保するようにしてある。
【００３８】
図５乃至図９にあっても、その既設鋼製ドアＡの気密性確保は、該既設鋼製ドアＡを可及的にそのまま現状維持した状態で、簡易な現場作業により有効且つ確実にして可及的安価に行うことができるとともに既設プレスドア２の室内側見付面にパネル６を設置することによって、該既設プレスドア２の室内側見付面の化粧を行うことができ、この場合に該パネル６の端部が露出することによる外観不良を解消して、帯材３との良好にして好ましい納まりを確保することができる。
【００３９】
図５乃至図９のその余は、上記例と変らないので、同一符号を付して重複する説明を省略する。
【００４０】
図示した例は以上のとおりとしたが、帯材の後付設置を、接着剤や接着テープによる接着によって固定するように行うこと、気密材の気密条をフィン状のものとすること、既設プレスドアの室内側見付面を覆うパネルを用いるとき、帯材に該パネルの端部を受入れる端部受入溝条を配置すること等を含めて、本発明の実施に当って、既設鋼製ドア、帯材、気密材、必要に応じて用いるネジ止め、長孔、基板、気密材受条、嵌合突条、気密条、パネル、端部受入溝条、端部被覆突条、閉塞部材等の各具体的形状、構造、材質、これらの関係、これらに対する付加等は、上記発明の要旨に反しない限り様々な形態のものとすることができる。
【符号の説明】
【００４１】
Ａ  既設鋼製ドア
１  既設ドア枠
１１  戸当面
２  既設プレスドア
２１  框
２２  補強リブ
２３  郵便受口
２４  ヒンジ
３  帯材
３１  基板
３２  長孔
３３  気密材受条
３４  リブ
３５  凹溝条
３６  Ｌ字突条
３７  端部被覆突条
３８  閉塞部材
４  気密材
４１  嵌合突条
４２  気密条
５  ネジ
６  パネル
【図１】
0005486960.tif 000002
【図２】
0005486960.tif 000003
【図３】
0005486960.tif 000004
【図４】
0005486960.tif 000005
【図５】
0005486960.tif 000006
【図６】
0005486960.tif 000007
【図７】
0005486960.tif 000008
【図８】
0005486960.tif 000009
【図９】
0005486960.tif 000010